(57)【特許請求の範囲】
【請求項１】
ネットワークマネージャが収集ジョブを基地局に送信することと、
前記基地局が前記収集ジョブに基づいて収集したセルの干渉パラメータを受信することと、
前記ネットワークマネージャが前記干渉パラメータに基づいて前記セルが干渉されたか否かを判断することと、を含み、
前記ネットワークマネージャが前記干渉パラメータに基づいて前記セルが干渉されたか否かを判断するステップが、前記干渉パラメータに基づいてセル帯域幅範囲内で、前記干渉パラメータに対応するスペクトル曲線を含むスペクトルグラフを制作することと、所定の干渉閾値に基づいて、前記スペクトルグラフにて対応する異常スペクトル曲線を制作することと、前記スペクトル曲線上の収集点が前記異常スペクトル曲線以上に位置する時、前記セルが干渉されたと判断することと、を含み、或いは、
前記ネットワークマネージャが前記干渉パラメータに基づいて前記セルが干渉されたか否かを判断するステップが、前記干渉パラメータに基づいてセル帯域幅範囲内で、前記干渉パラメータに対応するスペクトル曲線を含むスペクトルグラフを制作することと、前記スペクトルグラフにおいて、物理アップリンクリンク制御チャネル範囲曲線を制作することと、所定の干渉閾値に基づいて、前記スペクトルグラフにて対応する異常スペクトル曲線を制作することと、前記スペクトル曲線にて前記物理アップリンクリンク制御チャネル範囲曲線外の収集点が前記異常スペクトル曲線以上に位置する時、前記セルが干渉されたと判断することと、を含む、
セル干渉の調査方法。
【請求項２】
前記干渉パラメータは前記セル帯域幅上のリソースブロックの干渉パラメータであり、
前記セルが干渉されたと判断した後、
前記セルの帯域幅範囲を取得することと、
セル帯域幅上のリソースブロックの番号及びリソースブロックが占める帯域幅を取得することと、
前記リソースブロックの番号、前記リソースブロックが占める帯域幅及び前記セルの帯域幅範囲に基づいて前記干渉が発生した周波数範囲を得ることと、を含む干渉測位ステップを更に含む請求項１に記載のセル干渉の調査方法。
【請求項３】
前記セルが干渉されたと判断した後、前記干渉パラメータに対応するスペクトル曲線と所定のタイプの干渉源の信号のスペクトル曲線とを比較し、比較結果に基づいて前記干渉のタイプを確定することを更に含む請求項１に記載のセル干渉の調査方法。
【請求項４】
前記干渉パラメータは低ノイズ干渉と信号パワー瞬時値の中の少なくとも一つを含む請求項１に記載のセル干渉の調査方法。
【請求項５】
収集ジョブを基地局に送信するように構成されるジョブ手段と、
前記基地局が前記収集ジョブに基づいて収集したセルの干渉パラメータを受信するように構成される受信手段と、
前記干渉パラメータに基づいて前記セルが干渉されたか否かを判断するように構成される判断手段と、を含み、
前記判断手段は、サブ制作手段とサブ判断手段とを含み、前記サブ制作手段は、前記干渉パラメータに基づいてセル帯域幅範囲内で、前記干渉パラメータに対応するスペクトル曲線を含むスペクトルグラフを制作し、また所定の干渉閾値に基づいて前記スペクトルグラフにて対応する異常スペクトル曲線を作成するように構成され、前記サブ判断手段は、前記スペクトル曲線上の収集点が前記異常スペクトル曲線以上に位置する時、前記セルが干渉されたと判断するように構成され、或いは、
前記判断手段は、サブ制作手段とサブ判断手段とを含み、前記サブ制作手段は、前記干渉パラメータに基づいてセル帯域幅範囲内で、前記干渉パラメータに対応するスペクトル曲線を含むスペクトルグラフを制作し、前記スペクトルグラフにおいて、物理アップリンクリンク制御チャネル範囲曲線を制作し、及び所定の干渉閾値に基づいて、前記スペクトルグラフにて対応する異常スペクトル曲線を制作するように構成され、前記サブ判断手段は、前記スペクトル曲線にて前記物理アップリンクリンク制御チャネル範囲曲線外の収集点が前記異常スペクトル曲線以上に位置する時、前記セルが干渉されたと判断するように構成される、
ネットワークマネージャ。
【請求項６】
前記干渉パラメータは前記セル帯域幅上のリソースブロックの干渉パラメータであり、前記ネットワークマネージャは、干渉測位手段を更に含み、
前記干渉測位手段は、前記セルの帯域幅範囲を取得するように構成され、
前記干渉測位手段はさらに、セル帯域幅上のリソースブロックの番号及びリソースブロックが占める帯域幅を取得するように構成され、
前記干渉測位手段はさらに、前記リソースブロックの番号、前記リソースブロックが占める帯域幅及び前記セルの帯域幅範囲に基づいて前記干渉が発生した周波数範囲を得るように構成される請求項５に記載のネットワークマネージャ。
【請求項７】
前記干渉パラメータは低ノイズ干渉と信号パワー瞬時値の中の少なくとも一つを含む請求項５に記載のネットワークマネージャ。
【請求項８】
請求項５乃至７のいずれかに記載のネットワークマネージャと基地局とを含み、前記ネットワークマネージャが収集ジョブを基地局に送信し、前記基地局が前記収集ジョブに基づいてセルの干渉パラメータを収集して前記ネットワークマネージャに報知し、前記ネットワークマネージャが前記基地局が収集した干渉パラメータを受信し、前記干渉パラメータに基づいて前記セルが干渉されたか否かを判断するセル干渉の調査システム。
【発明の詳細な説明】
【技術分野】
【０００１】
本発明は、通信分野に関し、特に、セル干渉を調査する方法及びシステム、ネットワークマネージャに関するものである。
【背景技術】
【０００２】
無線通信システムにおいて、セルは必要な信号を受信する以外、他のソースからの信号も受信し、このような信号がセル帯域幅範囲内に発生すると、干渉、特にアップリンク干渉になってしまい、アップリンク干渉が厳しいセルにおいてセルのアップリンク通話品質に厳重な影響を与えて、アップリンクでのコールドロップ、接続率等の指標の劣化、更には大きい領域にアクセス不能であることが発生してしまう。干渉源のタイプを高速且つ正確に識別できると、干渉信号の特徴に応じて、対応する耐干渉戦略を取って、無線通信システムの動作性能を向上させることができるので、セルにアップリンク干渉の調査整理を行うことは、ネットワーク性能と指標を向上させる重要な措置である。
【０００３】
既存技術において、通常の干渉タイプを識別する方法は、分光計で干渉信号の周波数領域の特性を分析し、その後、周波数特性に基づいて、干渉源を識別する。しかし、分光計で信号を分析し観察する操作は面倒であり、分光計は通常、干渉が発生したセル付近（更にはネットワーク全体）で測定して測位を行って、一方、基地局は僻地に分布され、環境が複雑である可能性があるので、データを即時に取得して分析することができない。
【０００４】
また、基地局によるスペクトル走査によって干渉を調査する技術も開示されていて、主には、パラメータ閾値を設定して、基地局が干渉されたか否かを判断し、その後、一定の領域の基地局の分析結果を収集して、専用ソフトウェアで分析する。干渉されたか否かを正確に判断するため、一部の業務操作を追加又は停止しなければならず、隣接セルの干渉を調査するためには、基地局の操作をオフすることもあるので、現在のネットワークのユーザの使用に影響を与えることになり、別途のソフトウェアを配置してコストを増加し、システムの複雑度が増加される。
【発明の概要】
【発明が解決しようとする課題】
【０００５】
本発明の実施例が解決しようとする主な技術課題は、セルが干渉されたか否かを簡単で有効に確定することのできるセル干渉の調査方法、ネットワークマネージャ及びシステムを提供する。
【課題を解決するための手段】
【０００６】
上記課題を解決するため、本発明の実施例は、
ネットワークマネージャが収集ジョブを基地局に送信することと、
前記基地局が前記収集ジョブに基づいて収集したセルの干渉パラメータを受信することと、
前記ネットワークマネージャが前記干渉パラメータに基づいて前記セルが干渉されたか否かを判断することと、を含むセル干渉の調査方法を提供する。
【０００７】
本発明の一実施例において、前記ネットワークマネージャが前記干渉パラメータに基づいて前記セルが干渉されたか否かを判断するステップが、
前記干渉パラメータに基づいてセル帯域幅範囲内で、前記干渉パラメータに対応するスペクトル曲線を含むスペクトルグラフを制作することと、
所定の干渉閾値に基づいて、前記スペクトルグラフにて対応する異常スペクトル曲線を制作することと、
前記スペクトル曲線上の収集点が前記異常スペクトル曲線以上に位置する時、前記セルが干渉されたと判断することと、を含む。
【０００８】
本発明の一実施例において、前記ネットワークマネージャが前記干渉パラメータに基づいて前記セルが干渉されたか否かを判断するステップが、
前記干渉パラメータに基づいてセル帯域幅範囲内で、前記干渉パラメータに対応するスペクトル曲線を含むスペクトルグラフを制作することと、
前記スペクトルグラフにおいて、物理アップリンクリンク制御チャネル範囲曲線を制作することと、
所定の干渉閾値に基づいて、前記スペクトルグラフにて対応する異常スペクトル曲線を制作することと、
前記スペクトル曲線にて前記物理アップリンクリンク制御チャネル範囲曲線外の収集点が前記異常スペクトル曲線以上に位置する時、前記セルが干渉されたと判断することと、を含む。
【０００９】
本発明の一実施例において、前記干渉パラメータは前記セル帯域幅上のリソースブロックの干渉パラメータであり、
前記セルが干渉されたと判断した後、
前記セルの帯域幅範囲を取得することと、
セル帯域幅上のリソースブロックの番号及びリソースブロックが占める帯域幅を取得することと、
前記リソースブロックの番号、前記リソースブロックが占める帯域幅及び前記セルの帯域幅範囲に基づいて前記干渉が発生した周波数範囲を得ることと、を含む干渉測位ステップを更に含む。
【００１０】
本発明の一実施例において、前記セルが干渉されたと判断した後、前記干渉パラメータに対応するスペクトル曲線と所定のタイプの干渉源信号のスペクトル曲線とを比較し、比較結果に基づいて前記干渉のタイプを確定することを更に含む。
【００１１】
本発明の一実施例において、前記干渉パラメータは低ノイズ干渉と信号パワー瞬時値の中の少なくとも１つを含む。
【００１２】
上記課題を解決するため、本発明は、
ネットワークマネージャが収集ジョブを基地局に送信するように構成されるジョブ手段と、
前記基地局が前記収集ジョブに基づいて収集したセルの干渉パラメータを受信するように構成される受信手段と、
前記ネットワークマネージャが前記干渉パラメータに基づいて前記セルが干渉されたか否かを判断するように構成される判断手段と、を含むネットワークマネージャを提供する。
【００１３】
本発明の一実施例において、前記判断手段は、サブ制作手段とサブ判断手段とを含み、
前記サブ制作手段は、前記干渉パラメータに基づいてセル帯域幅範囲内で、前記干渉パラメータに対応するスペクトル曲線と所定の干渉閾値に基づいて前記スペクトルグラフにて制作した対応する異常スペクトル曲線を含むスペクトルグラフを制作するように構成され、
前記サブ判断手段は、前記スペクトル曲線上の収集点が前記異常スペクトル曲線以上に位置する時、前記セルが干渉されたと判断するように構成される。
【００１４】
本発明の一実施例において、前記判断手段は、サブ制作手段とサブ判断手段とを含み、
前記サブ制作手段は、前記干渉パラメータに基づいてセル帯域幅範囲内で、前記干渉パラメータに対応するスペクトル曲線を含むスペクトルグラフを制作し、前記スペクトルグラフにおいて、物理アップリンクリンク制御チャネル範囲曲線を制作し、及び所定の干渉閾値に基づいて、前記スペクトルグラフにて対応する異常スペクトル曲線を制作するように構成され、
前記サブ判断手段は、前記スペクトル曲線にて前記物理アップリンクリンク制御チャネル範囲曲線外の収集点が前記異常スペクトル曲線以上に位置する時、前記セルが干渉されたと判断するように構成される。
【００１５】
本発明の一実施例において、前記干渉パラメータは前記セル帯域幅上のリソースブロックの干渉パラメータであり、前記ネットワークマネージャは、干渉測位手段を更に含み、
前記干渉測位手段は、前記セルの帯域幅範囲を取得するように構成され、
前記干渉測位手段は更に、セル帯域幅上のリソースブロックの番号及びリソースブロックが占める帯域幅を取得するように構成され、
前記干渉測位手段は更に、前記リソースブロックの番号、前記リソースブロックが占める帯域幅及び前記セルの帯域幅範囲に基づいて前記干渉が発生した周波数範囲を得るように構成される。
【００１６】
本発明の一実施例において、前記干渉パラメータは低ノイズ干渉と信号パワー瞬時値の中の少なくとも１つを含む。
【００１７】
上記問題を解決するため、本発明の実施例は更に、上述したネットワークマネージャと基地局とを含み、前記ネットワークマネージャが収集ジョブを基地局に送信し、前記基地局が前記収集ジョブに基づいてセルの干渉パラメータを収集して前記ネットワークマネージャに報知し、前記ネットワークマネージャが前記基地局が収集した干渉パラメータを受信し、前記干渉パラメータに基づいて前記セルが干渉されたか否かを判断するセル干渉の調査システムを提供する。
【発明の効果】
【００１８】
本発明の実施例によると、以下のような有益な効果を実現できる。
【００１９】
本発明の実施例で提供するセル干渉の調査方法及びシステム、ネットワークマネージャによると、セルが干渉されたか否かを簡単且つ有効に確定することができる。本発明のセル干渉の調査方法は具体的に、ネットワークマネージャが収集ジョブを基地局に送信し、また基地局が収集ジョブに基づいて収集したセルの干渉パラメータを受信し、受信した干渉パラメータに基づいてセルが干渉されたか否かを判断することを含み、既存技術に比べ、本発明によると、ネットワークマネージャによってセルの干渉を調査することができ、干渉の存在を調査するためにセルをオフしたり基地局の電源をオフしたりする等の業務に影響する操作を行うことを回避し、また別途にハードウェアのコストを増加する必要がなく、他のソフトシステムを配置する必要がなく、これにより、コストを節約し、干渉を調査する複雑度を低減する。
【図面の簡単な説明】
【００２０】
【図１】本発明の実施例１で提供するセル干渉の調査方法を示すフローチャートである。
【図２】本発明の実施例２で提供するセル干渉の調査方法を示すフローチャートである。
【図３】本発明の実施例２で提供するＮＩパラメータ値に基づいて制作したスペクトル図である。
【図４】本発明の実施例３で提供するネットワークマネージャの構造を示す図である。
【図５】本発明の実施例３で提供するセル干渉の調査システムの構造を示す図である。
【発明を実施するための形態】
【００２１】
本発明が解決しようとする技術課題、技術案及び有益な効果を一層明確にするため、以下、図面と実施例を結合して本発明を更に詳しく説明する。現在、無線基地局通信分野において、基地局ソフトウェア支援プラットフォームと、コントローラと、ネットワークマネージャセンサー等の部分を含む分布式ネットワークマネージャの既存技術が開示された。従って、本発明はスペクトル走査機能をネットワークマネージャのシグナル追跡に集積する。既存のデータ経路を用いることができ、別途のネットワーク費用を追加する必要がない。また、セルの無線リソース配置を簡単に調査して、干渉源の測位や調査を行うことができる。また、ネットワークマネージャが管理するエレメントに対して同時にスペクトル走査を行って、干渉源の測位を高速に行うことができる。
【００２２】
実施例１：
図１を参照すると、本発明の実施例１で提供するセル干渉の調査方法を示すフローチャートで、該方法は以下のステップを含む。
【００２３】
ネットワークマネージャが収集ジョブを基地局に送信する（ステップ１０１）。
【００２４】
ネットワークマネージャが、スペクトル走査ジョブを設定し、該ジョブは周波数走査を行うべき基地局セル、走査モードの選択、報知周期、ジョブ時間長さ等の関連するパラメータ及びデータの収集が必要な干渉パラメータ、つまり基地局のセルに周波数走査を行う必要のある干渉パラメータを含む。ここで、走査モードは、時分割複信―長期進化システム（Ｔｉｍｅ  Ｄｉｖｉｓｉｏｎ  Ｄｕｐｌｅｘ−Ｌｏｎｇ  Ｔｅｒｍ  Ｅｖｏｌｕｔｉｏｎ  Ａｄｖａｎｃｅ、ＴＤＤ−ＬＴＥと略称）(固定走査、ポーリング走査)セルと周波数分割複信方式（Ｆｒｅｑｕｅｎｃｙ  Ｄｉｖｉｓｉｏｎ  Ｄｕｐｌｅｘ、ＦＤＤと略称）（全部走査、全帯域幅走査）セルにおいて異なっていて、固定走査の場合、各リソースブロック（Ｐｈｙｓｉｃａｌ  Ｒｅｓｏｕｒｃｅ  Ｂｌｏｃｋ、ＲＢと略称）上の指定された干渉パラメータを収集し、ポーリング走査の場合、サブフレームの干渉パラメータを収集し、配置された全てのアップリンクサブフレームに対して収集を行う。全部走査である場合、全てのサブフレームの干渉パラメータを収集して、ＲＢに基づく平均値と最大値を求める。全帯域幅走査である場合、まずＰＨＹ（物理層Ｐｈｙｓｉｃａｌの略称）ポートを設定し、ポートの設定に成功した後、全てのサブフレームの干渉パラメータを収集して、ＲＢに基づく平均値と最大値を求め、当該走査は業務に影響を与えるので特別な時に使用する。本実施例において、具体的な走査ジョブとは、具体的な環境に応じて対応する設定を行い対応する走査モードを選択することであると理解することができる。
【００２５】
基地局が収集ジョブに基づいて収集したセルの干渉パラメータを受信する（ステップ１０２）。
【００２６】
基地局はネットワークマネージャから送信された収集ジョブを受信した後、ジョブに基づいて解析し、セルの干渉パラメータを収集し、つまり、各セルの帯域幅上のＲＢの干渉パラメータを走査する。
【００２７】
また、ジョブの走査周期、ジョブ持続長さパラメータに基づいて、一定の時間内において、各セルの帯域幅上の各ＲＢの干渉パラメータを走査することもできる。干渉パラメータを収集した後、干渉パラメータに一定の処理を行うことができ、例えばジョブ走査周期、ジョブ持続時間長さパラメータに基づいて一定の時間内において各セルの帯域幅上の各ＲＢの干渉パラメータを走査することができる。収取した後、収集されたパラメータの平均値と最大値を求めることができる。基地局はセルの干渉パラメータを収集した後、まずパケット化して、報知周期になった時に、ネットワークマネージャに送信することができる。パケット化された干渉パラメータは、複数のセルが同時に製図分析を行うためのセル番号、アップリンクサブフレーム番号、セル帯域幅、干渉パラメータ等を含む。
【００２８】
ネットワークマネージャが干渉パラメータに基づいてセルが干渉されたか否かを判断する（ステップ１０３）。
【００２９】
ネットワークマネージャは干渉パラメータを受信した後、該干渉パラメータに基づいて該セルが干渉されたか否かを判断する。
【００３０】
本実施例において、該干渉パラメータに基づいて該セルが干渉されたか否かを判断することは、干渉パラメータに基づいて、セル帯域幅範囲内でスペクトルグラフを制作し、スペクトルグラフは干渉パラメータに対応するスペクトル曲線、即ちネットワークマネージャが干渉パラメータを受信した後に各セルの干渉パラメータに基づいて制作した該セルのスペクトルグラフを含み、ここで、干渉パラメータの平均値又は最大値を取ることができる。また、所定の干渉閾値に基づいて、スペクトルグラフにて対応する異常スペクトル曲線を制作し、スペクトル曲線上の収集点が異常スペクトル曲線以上に位置する時、セルが干渉されたと判断する。つまり、制作したセルスペクトル曲線上に干渉閾値を超える収集点がある時、該セルが干渉されたと判断する。干渉閾値は、具体的な干渉パラメータに基づいて具体的に設定することができる。
【００３１】
そして、本セルの物理アップリンクリンク制御チャネル内のパワーが高すぎて判断ミスが発生することを回避するため、本実施例における判断プロセスは、干渉パラメータに基づいて、セル帯域幅範囲内でスペクトルグラフを制作することと、スペクトルグラフは干渉パラメータに対応するスペクトル曲線を含み、スペクトルグラフにて物理アップリンクリンク制御チャネル範囲曲線を制作することと、所定の干渉閾値に基づいて、前記スペクトルグラフにて対応する異常スペクトル曲線を制作することと、スペクトルグラフは干渉パラメータに対応するスペクトル曲線を含み、スペクトル曲線にて物理アップリンクリンク制御チャネル範囲曲線外の収集点が異常スペクトル曲線以上に位置する時、セルが干渉されたと判断することとを含むことができる。
【００３２】
本実施例において、干渉セルの調査を一層良好に行うため、干渉閾値に基づいて干渉をレベルを区分けすることができ、即ち、レベルの異なる干渉閾値を設定し、スペクトルグラフにて対応する異常スペクトル曲線を制作し、つまり制作されたスペクトルグラフ中のスペクトル曲線に異常スペクトル曲線以上に位置する収集点がある時、それに対応する干渉レベルが該異常スペクトル曲線に対応する干渉閾値のレベルであって、そして、一層精確に判断するように、物理アップリンクリンク制御チャネル範囲外のスペクトル曲線を選択して判断することができる。具体的な干渉レベルは例えば干渉閾値に基づいて干渉無し、軽度干渉、強度干渉に区分けすることができ、例えば第１の干渉閾値と、第２の干渉閾値と、第３の干渉閾値とを含む三つの干渉閾値を設定し、スペクトル曲線が第１の干渉閾値に対応する異常スペクトル曲線以下に位置すると、干渉無しを表し、第１の干渉閾値に対応する異常スペクトル曲線以上、且つ第２の干渉閾値に対応する異常スペクトル曲線以下に位置すると、軽度干渉を表し、同じに、強度干渉を判断することができる。これにより、調査する時に、まず強度干渉セルを調査し、その後中等の干渉セルを調査し、一層高速且つ精確に干渉を調査することができる。
【００３３】
技術者による干渉解決の便宜を図るため、本実施例の方法は、干渉を判断した後、更に測位プロセスを行うことができ、該プロセスは、
セルが干渉されたと判断した後、干渉測位ステップを更に含むことができ、該ステップは、セルの帯域幅範囲を取得することと、セル帯域幅上のリソースブロックの番号及びリソースブロックが占める帯域幅を取得することと、リソースブロックの番号、リソースブロックが占める帯域幅及びセルの帯域幅範囲に基づいて干渉が発生した周波数範囲を得ることと、を含むことができる。つまり、干渉パラメータに基づいてセルが干渉されたと判断した後、ネットワークマネージャのデータベースから当該セルの無線リソース配置を調べることができ、セルの広帯域範囲、セルの広帯域上のリソースブロックＲＢ等を含み、中心周波数とＲＢの幅を把握できると、各ＲＢと周波数との対応関係を把握できる。例えば、セルのシステム帯域幅が２０ＭＨｚで、周波数区間が３８で、中心周波数が２５６０ＭＨｚであると、セルの帯域幅範囲は２５７０ＭＨｚ〜２５９０ＭＨｚである。ＬＴＥにおいて各ＲＢは周波数領域リソースにおいては１２個のサブキャリアで、各サブキャリアは１５ＫＨＺ帯域幅で、１つのＲＢが占める帯域幅は１８０ＫＨＺである。干渉が発生した時に報知するＲＢ番号に基づいて、干渉が発生した周波数範囲を計算することができ、ＲＢ番号に基づいて各ＲＢに対応する周波数範囲を区分けすることもできる。例えば、セルの中心周波数を調べた後にセルの帯域幅を計算する時、
中心周波数＝開始周波数＋セル帯域幅／２
終了周波数＝開始周波数＋セル帯域幅
例えば、中心周波数が２５６０ＭＨｚで、帯域幅が２０Ｍであると、セルの帯域幅範囲は２５７０ＭＨｚ〜２５９０ＭＨｚである。ＬＴＥにおいて各ＲＢが周波数領域リソースにて１２個のサブキャリアであり、各サブキャリアは１５ＫＨＺ帯域幅であり、１つのＲＢが占める帯域幅は１８０ＫＨＺである。干渉が発生した時に報知するＲＢ番号に基づいて干渉が発生した周波数範囲を計算することができ、ＲＢ番号に基づいて各ＲＢに対応する周波数範囲を区分けすることもできる。
【００３４】
干渉調査の便宜を図るため、本実施例の方法は、判断した後、又は測位した後、干渉パラメータに対応するスペクトル曲線と所定のタイプの干渉源の信号のスペクトル曲線とを比較し、比較結果に基づいて干渉のタイプを確定することを更に含むことができる。ネットワークマネージャに構築されたさまざまな通常のタイプを含む干渉源信号のデータを用いて、干渉の存在が判断された時、得られたスペクトル曲線とデータベースに存在する干渉源の信号スペクトル曲線とを自動的に比較することで、一層精確且つ高速に干渉源のタイプを得ることができる。実践によると、同一のタイプの干渉を受けたセルのスペクトルグラフの特性は殆ど完全に一致する(又は、技術処理を経て一致になる)。これにより、他の同一のタイプの干渉を受けたセルのバックグラウンドの周波数走査データの分析結果も一致するはずである(事実でもある)。干渉のタイプを確定した後、干渉のタイプに基づいて、干渉解決案を提示する。ＬＴＥシステムの常用の干渉タイプと解決案をデータベースに記憶し、干渉のタイプを判断した後、対応する解決案を探すことができ、当該データベースは実践に応じて累積され改善される。
【００３５】
本実施例において、干渉パラメータは低ノイズ干渉ＮＩと信号パワー瞬時値ＰＯＷＥＲの中の少なくとも１つを含み、他のパラメータを含むこともできることは言うまでもない。低ノイズ干渉と信号パワー瞬時値について、その自体を利用することができれば、最大値又は平均値を利用することもできる。
【００３６】
実施例２：
本実施例において、干渉パラメータがＮＩである場合を例に本発明の方法を詳しく説明し、具体的には以下のようである。
【００３７】
ネットワークマネージャからスペクトル走査ジョブを設定し（ステップ２０１）、該ジョブは周波数の走査を必要とする基地局セル、走査モードの選択、報知周期、ジョブ時間長さを含む。
【００３８】
ここで、走査モードは、ＴＤ−ＬＴＥ(固定走査、ポーリング走査)セルとＦＤＤ（全部走査、全帯域幅走査）セルにて異なっていて、
固定走査であると、各ＲＢ上の指定されたアップリンクサブフレーム番号のＮＩを収集し、
ポーリング走査であると、サブフレームのＮＩを収集し、配置された全てのアップリンクサブフレームに対して収集する。
【００３９】
全部走査であると、全てのサブフレームのＮＩを収集し、ＲＢに基づく平均値と最大値を求める。
【００４０】
全帯域幅走査であると、まずＰＨＹ（物理層）ポートを設定し、ポートの設置に成功した後、全てのサブフレームのＮＩを収集して、ＲＢに基づく平均値と最大値を求め、当該走査は業務を影響を与えるので、特別な時に使用する。
【００４１】
エレメントが、周波数走査開始ジョブを受信した後、ＣＭＡＣ（制御媒体アクセス制御）サブシステムがジョブ中のパラメータを解析し、データを収集する（ステップ２０２）。
【００４２】
ジョブ走査周期、ジョブ持続時間長さパラメータに基づいて、一定の時間内において、各セルの帯域幅上の各ＲＢのＮＩとＰＯＷＥＲを走査する。
【００４３】
ＮＩを計算する方法は周知であるので、ここでは説明を省略する。
【００４４】
走査ジョブの違いに基づいて、具体的な走査ジョブは対応する走査モードで各報知周期にて各ＲＢ上のサブフレームデータを報知し、該データはＲＢの平均値及び／又は最大値を含むことができ、ここで、まず収集ジョブに基づいて各ＲＢ上のサブフレームデータを収集し、該データはＲＢの平均値及び／又は最大値を含むことができる。
【００４５】
ＣＭＡＣはデータを収集した後、ネットワークマネージャによる解析と製図の便宜を図るため、データのパケット化を行わなければならず、報知周期になった後、パケット化されたデータをネットワークマネージャに報知する（ステップ２０３）。
【００４６】
パケット化されたデータは、複数のセルの製図分析を同時に行うためのセル番号と、アップリンクサブフレーム番号と、セル帯域幅と、統一に２０Ｍ帯域幅で１００個のＲＢを報知する時に無効のＲＢのＮＩを全部０に記入したＮＩ最大値セットと、ＮＩ平均値セットと、ＰＯＷＥＲ最大値セット、ＰＯＷＥＲ平均値セット、ＰｒａｃｈのＲＢ開始位置と、Ｐｕｃｃｈチャネル（Ｐｕｃｃｈチャネルは帯域幅の両側に位置する）が占めるＲＢ数量と、Ｐｕｃｃｈ  Ａｃｋ（Ａｃｋ正確なフィードバック）のＲＢ位置と、を含む。
【００４７】
ネットワークマネージャがデータを受信し、製図する（ステップ２０４）。
【００４８】
セル番号に基づいて、各セルのためにグラフを制作する。
【００４９】
帯域幅番号に基づいて、グラフの横座標範囲を走査する：２０Ｍ＝１００ＲＢ，１５Ｍ＝７５ＲＢ，１０Ｍ＝５０ＲＢ，５Ｍ＝２５ＲＢ，３Ｍ＝１５ＲＢ，１.４Ｍ=６ＲＢ。
【００５０】
ＮＩとＰＯＷＥＲ値範囲に基づいて、グラフの縦座標範囲を走査する：０〜-１６０ｄＢｍ。
【００５１】
ＮＩ平均値、ＮＩ最大値に基づいて、二つの曲線を制作し、ここで最大値を使用して干渉を判断するかそれとも平均値を使用して干渉を判断するかに基づいて、使用しない曲線は制作しなくてもよい。
【００５２】
ここで、グラフにＰｕｃｃｈチャネル範囲を示すことができる。
【００５３】
ネットワークマネージャが干渉閾値を設定して、干渉されたか否かを判断する（ステップ２０５）。
【００５４】
ＮＩ閾値を設定し、閾値に基づいて、グラフにて異常ＮＩ線を制作し、あるＲＢのＮＩが異常ＮＩ線に位置する時、つまりＮＩ>ＮＩ閾値であると、当該セルが干渉を受けたと判断して、警告を発することができる。本セルのＰｕｃｃｈパワーが高すぎてＮＩ干渉警告を発してしまうことを除去するため、当該ＮＩ閾値をユーザが定義することができ、ＮＩ干渉警告はＰｕｃｃｈチャネル範囲外のＮＩ値を干渉有無の依拠とすることができる。具体的に、図３に示すように、図に二つのＮＩのスペクトル曲線を制作し、その１つは収集したＮＩの平均値スペクトル曲線ｓｌｏｔ１ＮＩであり、他の１つは収集したＮＩの最大値スペクトル曲線ｓｌｏｔ０ＮＩである。そして二つの異常スペクトル曲線を制作し、その１つは異常平均値スペクトル曲線である平均異常曲線Aであり、他の１つは異常最大値スペクトル曲線である最大異常曲線Bである。図に示すように、収集点が異常スペクトル曲線以上に位置するものがあるので、該セルが干渉を受けたと判断することができる。セルが干渉されたか否かを一層精確に判断するため、図に同時にＰｕｃｃｈチャネル範囲を制作した。また、図に物理ランダムアクセスチャネルＰｒａｃｈチャネル範囲を更に制作することもできる。
【００５５】
ＮＩに基づいて干渉されたと判断した後、干渉測位をトリガーする（ステップ２０６）。
【００５６】
ネットワークマネージャのデータベースから当該セルの無線リソース配置を調べることができる。セルの中心周波数を調べて、セル帯域幅を計算することができる。
【００５７】
中心周波数＝開始周波数＋セル帯域幅／２
終了周波数＝開始周波数＋セル帯域幅
例えば、中心周波数が２５６０ＭＨｚで、帯域幅が２０Ｍであると、セルの帯域幅範囲は２５７０ＭＨｚ〜２５９０ＭＨｚである。
【００５８】
ＬＴＥにおいて各ＲＢは周波数領域リソースにて１２個のサブキャリアであり、各サブキャリアは１５ＫＨＺ帯域幅であり、１つのＲＢが占める帯域幅は１８０ＫＨＺである。干渉が発生した時に報知するＲＢ番号に基づいて、干渉が発生した周波数範囲を計算することができ、ＲＢ番号に基づいて各ＲＢに対応する周波数範囲を区分けすることもできる。
【００５９】
干渉源のタイプを判断する（ステップ２０７）。
【００６０】
セルに干渉が存在すると判断する時、干渉源タイプメカニズムをトリガーする。ネットワークマネージャのスペクトル走査データベースにおいて、セルのタイムスロット比例、システム帯域幅配置、タイムスロット比例が同じであるセルデータを探して、制作したスペクトル曲線と探したセルの各種のタイプの干渉源信号によるスペクトル曲線とをマッピングして、干渉源のタイプを確定して確認する。
【００６１】
干渉のタイプに基づいて、干渉の解決案を提示する（ステップ２０８）。
【００６２】
ＬＴＥシステムの常用の干渉のタイプと解決案をデータベースに記憶し、ステップ７にて判断した干渉のタイプに応じて、対応する解決案を探し、当該データベースは実践によって累積し改善される。
【００６３】
解決案を実施し、セルＮＩの変化をリアルタイムに観察し、ある操作においてセルのＮＩが明らかに変化すると(３〜１０ｄｂ程度)、該操作方法が有効であると認め、干渉源のタイプの判断は正確である。
【００６４】
干渉が排除されるとネットワークマネージャによってスペクトル走査を停止することができ、ネットワークマネージャがスペクトル走査停止ジョブを送信し、エレメントはデータを収集して報知せず、ネットワークマネージャはデータを受信せず、製図をオフし干渉分析を停止する（ステップ２０９）。
【００６５】
本実施例において、干渉パラメータは信号パワー瞬時値ＰＯＷＥＲであることもでき、他のパラメータであることもでき、その具体的な実現方式は干渉パラメータがＮＩである場合と同じであり、ただ、ステップ２０２においてＰＯＷＥＲが本セルの非アンテナ校正期間において、サブフレーム１  ＧＰ（保護タイムスロット）でＡＣ(アンテナ校正)シーケンス位置の時間領域信号パワーを計算し、ｄＢｍ単位に変換する（ＲＢに換算する）。
【００６６】
実施例３：
図４に示す本発明の実施例３で提供するネットワークマネージャ構造を示す図を参照すると、ジョブ手段と、受信手段と、判断手段と、を含み、ジョブ手段はネットワークマネージャが収集ジョブを基地局に送信するように構成され、受信手段は基地局が収集ジョブに基づいて収集したセルの干渉パラメータを受信するように構成され、判断手段はネットワークマネージャが干渉パラメータに基づいてセルが干渉されたか否かを判断するように構成される。具体的な実施プロセスは上述した実施プロセスと同じである。
【００６７】
本実施例において、判断手段はサブ制作手段とサブ判断手段とを含み、サブ制作手段は干渉パラメータに基づいてセル帯域幅範囲内でスペクトルグラフを制作するように構成され、スペクトルグラフは干渉パラメータに対応するスペクトル曲線と所定の干渉閾値に基づいてスペクトルグラフに制作した対応する異常スペクトル曲線とを含み、サブ判断手段はスペクトル曲線上の収集点が異常スペクトル曲線以上に位置する時、セルが干渉されたと判断するように構成される。
【００６８】
本実施例において、判断手段はサブ制作手段とサブ判断手段とを含み、サブ制作手段は干渉パラメータに基づいてセル帯域幅範囲内でスペクトルグラフを制作するように構成され、スペクトルグラフは干渉パラメータに対応するスペクトル曲線を含み、更に、スペクトルグラフにて物理アップリンクリンク制御チャネル範囲曲線を制作するように構成され、所定の干渉閾値に基づいて、前記スペクトルグラフにて対応する異常スペクトル曲線を制作し、サブ判断手段はスペクトル曲線において物理アップリンクリンク制御チャネル範囲曲線外の収集点が異常スペクトル曲線以上に位置する時、セルが干渉されたと判断するように構成される。
【００６９】
本実施例において、干渉パラメータはセル帯域幅上のリソースブロックの干渉パラメータである。ネットワークマネージャは干渉測位手段を更に含み、干渉測位手段はセルの帯域幅範囲を取得し、また、セル帯域幅上のリソースブロックの番号及びリソースブロックが占める帯域幅を取得するように構成され、更に、リソースブロックの番号、リソースブロックが占める帯域幅及びセルの帯域幅範囲に基づいて干渉が発生した周波数範囲を得るように構成される。
【００７０】
本実施例において、干渉パラメータは低ノイズ干渉と信号パワー瞬時値の中の少なくとも１つを含み、他のパラメータを含むこともできる。低ノイズ干渉と信号パワー瞬時値についてその自体の値を利用することができ、その最大値又は平均値を利用することもできる。
【００７１】
図５に示す本発明の実施例３で提供するセル干渉の調査システムの構造を示す図を参照すると、該システムは上述したネットワークマネージャと基地局を含み、ネットワークマネージャが収集ジョブを基地局に送信し、基地局が収集ジョブに基づいてセルの干渉パラメータを収集してネットワークマネージャに報知し、ネットワークマネージャが基地局が収集した干渉パラメータを受信し、干渉パラメータに基づいてセルが干渉されたか否かを判断する。上記方法中の全部又は一部のステップをプログラムによって関連するハードウェアに命令することで完成することができ、プログラムを例えばROＭ、磁気ディスク又は光ディスク等のコンピューターが読み取り可能な記憶媒体に記憶することができることは当業者であれば理解できる。また、上記実施例の全部又は一部のステップを１つ又は複数の集積回路によって実現することもできる。対応して、上記実施例中の各手段／ユニットをハードウェアの形式で実現することができ、ソフトウェア機能ブロックの形式で実現することもできる。本発明は如何なる特定の形式のハードウェアとソフトウェアの結合にも限定されない。
【００７２】
以上は、本発明の好適な実施例にすぎず、本発明は他のさまざまな実施例があることもでき、本発明の精神やその実質から離脱しない範囲内で、当業者は本発明に各種の変更や変形を行うことができ、これらの対応する変更や変形は本発明の保護範囲内に含まれる。
【産業上の利用可能性】
【００７３】
本発明で提供する上記技術案はセル干渉を調査するに応用可能であって、ネットワークマネージャが収集ジョブを基地局に送信し、基地局が収集ジョブに基づいて収集したセルの干渉パラメータを受信し、受信された干渉パラメータに基づいてセルが干渉されたか否かを判断する技術案によって、ネットワークマネージャによってセルの干渉を調査することができ、干渉の存在を調査するためにセルをオフしたり基地局の電源をオフしたりする等の業務に影響する操作を行うことを回避し、また別途にハードウェアのコストを増加する必要がなく、他のソフトシステムを配置する必要がなく、これにより、コストを節約し、干渉を調査する複雑度を低減する。
【図１】
0006339227.tif 000002
【図２】
0006339227.tif 000003
【図３】
0006339227.tif 000004
【図４】
0006339227.tif 000005
【図５】
0006339227.tif 000006